(57)【要約】【目的】  自動倉庫のラック棚に載置した際に下部デッキボードの変形を小さくするパレットを提供する。【構成】  上部デッキボードと下部デッキボードを四隅の桁、その中間部の桁及び中央部の桁で連結し、前記桁と上下部デッキボードで囲まれた空隙をフォーク差込口とした合成樹脂製パレットであって、四隅の桁、その中間部の桁、中央部の桁の角部で囲まれた内側部分の天板の下側に縦横に交差する格子状リブを設け、前記格子状リブのいずれかと各桁の周壁との間に斜めの補強リブを設けた。前記四隅の桁、その中間部の桁、中央部の桁の角部で囲まれた内側部分に設けた交差する格子状リブのうち、桁寄りの１又は複数のリブと前記各桁の周壁との間に斜めの補強リブを設けることが好ましい。【選択図】        図２
2006248541.tif 000002
【特許請求の範囲】
【請求項１】
上部デッキボードと下部デッキボードを四隅の桁、その中間部の桁及び中央部の桁で連結し、前記桁と上下部デッキボードで囲まれた空隙をフォーク差込口とした合成樹脂製パレットであって、四隅の桁、その中間部の桁、中央部の桁の角部で囲まれた内側部分の天板の下側に縦横に交差する格子状リブを設け、前記格子状リブのいずれかと各桁の周壁との間に、斜めの補強リブを設けたことを特徴とする合成樹脂製パレット。
【請求項２】
四隅の桁、その中間部の桁、中央部の桁の角部で囲まれた内側部分に設けた交差する格子状リブのうち、桁寄りの１又は複数のリブと前記各桁の周壁との間に斜めの補強リブを設けたことを特徴とする請求項１に記載の合成樹脂製パレット。
【請求項３】
四隅の桁、その中間部の桁、中央部の桁の角部で囲まれた内側部分に設けた交差する格子状リブのうち、桁寄りの１または複数のリブの断面積をその他のリブの断面積よりも大きく形成したことを特徴とする請求項１又は２に記載の合成樹脂製パレット。
【請求項４】
四隅の桁、その中間部の桁、中央部の桁の内部における天板の下側には、デッキボードの側面に対して平行で直交する補強リブを設け、前記直交する補強リブのうち長手方向（間口方向）において開口するフォーク差込口側に最も近い補強リブと桁の周壁で囲まれた範囲を補強部となし、前記補強部を長手方向（間口方向）に設けた複数の補強リブと、デッキボードの肉厚をデッキボードの他の部分の肉厚よりも厚くした肉厚部とによって形成したことを特徴とする請求項１〜３のいずれか１項に記載の合成樹脂製パレット。
【発明の詳細な説明】
【技術分野】
【０００１】
この発明は荷物の保管、運搬に使用するフォークリフト用の合成樹脂製パレットに係り、詳しくは、自動倉庫のラック棚のパレット受部材に載置して格納される合成樹脂製パレットに関する。
【背景技術】
【０００２】
近年、荷物の保管、運搬に使用されるフォークリフト用パレットでは、合成樹脂製パレットが多く使用されているが、木製パレットと比較すると変形し易いという問題がある。図7は、自動倉庫のラック棚に載置されたパレットを示す。パレット１は、上部デッキボード３と下部デッキボード４とを両端部の桁５、及びその中間に設けた中間桁６で連結し、前記桁と上下デッキボードで囲まれた空隙をフォーク差込口７としたものである。
【０００３】
そして、上部デッキボード３及び下部デッキボード４の下面には、変形を防止するために縦横に補強リブを設けてなる。前記桁５と中間桁６は、上下端面が上部デッキボード３及び下部デッキボード４によって閉じられており、全体として閉じた中空構造に形成されている。
【０００４】
立体自動倉庫の棚装置１０は、図7に示すように、所定の間隔で複数立設された支柱１１と、隣り合う支柱１１間を上下方向に沿って所定の間隔をあけて取り付けられ且つパレットを支持するパレット受部材１２を備えてなる。前記パレット受部材１２がラック棚を構成し、荷物８を載置したパレット１を前記パレット受部材１２に載置して格納すると、パレット１には載置した荷物８によって矢印の方向に荷重がかかる。パレット１は、加重によって上部デッキボード３及び下部デッキボード４が一点鎖線のように変形する。
【０００５】
そこで、パレットの変形量を小さくするために、二方差しパレットでは、桁を前記パレット受部材１２に掛け渡して載置させ、また四方差しパレットでは、間口方向の寸法と奥行方向の寸法のどちらか小さい方をパレット受部材１２に掛け渡して載置させている。
【０００６】
しかしながら、パレットの方向を変えて載置するだけでは、変形を防止することはできなかった。デッキボードが変形すると荷物を安定した状態で載置することができないばかりでなく、荷崩れのおそれもある。また、変形状態で長時間保持しておくと、パレットに永久変形が生じることになる。このようなデッキボードの変形を防止するパレットとして、特開２００１−２１３４３２号公報に記載のパレットがある。
【特許文献１】特開２００１−２１３４３２号公報
【発明の開示】
【発明が解決しようとする課題】
【０００７】
前記公報記載のパレットは、上部デッキボードの内側面に、隣り合う桁の角部で連結する縦横の補強リブによって第１の方形状補強リブを形成し、さらに、桁内に設けた連結リブによって桁の壁を介して縦横に補強リブを連結することによって第２の方形状補強リブを形成するようにしたものである。
【０００８】
前記公報記載のパレットは、上部デッキボードと桁の連結部を補強することによって、デッキボードの変形を防止しようとするものであるが、桁を連結する部分のデッキボードの補強のみでは、必ずしも変形を充分防止することはできない。
【０００９】
また、従来の四方差しパレットでは、ハンドリフト（手動による小型のフォークリフト）やパレットトラックの使用を可能にするために、下部デッキボード４に四隅の桁５とその中間部の桁６及び中央部の桁によって囲まれた部分に比較的大きな開口部が設けられることがある。このように、下部デッキボードに大きな開口部を設ける構造のパレットでは、荷重による変形が一層大きくなる。
【００１０】
この発明は、自動倉庫のラック棚に載置した場合にも、変形量が小さく安全に保管することができる合成樹脂製パレットを提供することを目的とする。
【課題を解決するための手段】
【００１１】
この発明は、上記目的を達成するために次のような構成とした。即ち、この発明に係る合成樹脂製パレットは、上部デッキボードと下部デッキボードを四隅の桁、その中間部の桁及び中央部の桁で連結し、前記桁と上下部デッキボードで囲まれた空隙をフォーク差込口とした合成樹脂製パレットであって、四隅の桁、その中間部の桁、中央部の桁の角部で囲まれた内側部分の天板の下側に縦横に交差する格子状リブを設け、前記格子状リブのいずれかと各桁の周壁との間に、斜めの補強リブを設けたことを特徴とする。
【００１２】
前記四隅の桁、その中間部の桁、中央部の桁の角部で囲まれた内側部分に設けた交差する格子状リブのうち、桁寄りの１又は複数のリブと前記各桁の周壁との間に斜めの補強リブを設けることが好ましい。さらに、前記四隅の桁、その中間部の桁、中央部の桁の角部で囲まれた内側部分に設けた交差する格子状リブのうち、桁寄りの１又は複数のリブの断面積をその他のリブの断面積よりも大きく形成することが好ましい。
【００１３】
また、四隅の桁、その中間部の桁、中央部の桁の内部における天板の下側には、デッキボードの側面に対して平行で直交する補強リブを設け、前記直交する補強リブのうち長手方向（間口方向）において開口するフォーク差込口側に最も近い補強リブと桁の周壁で囲まれた範囲を補強部となし、前記補強部を長手方向（間口方向）に設けた複数の補強リブと、デッキボードの肉厚をデッキボードの他の部分の肉厚よりも厚くした肉厚部とによって形成することができる。
【発明の効果】
【００１４】
この発明の合成樹脂製パレットは、四隅の桁とその中間部の桁及び中央部の桁の角部によって囲まれた部分の天板に設けられた補強リブと、前記桁の周壁との間に斜めの補強リブを設けたから、桁を連結する部分以外でも補強されることになり、全体が補強されることになる。従って、デッキボードの変形とともに桁の変形も防止され、荷物を安定して自動倉庫のラック棚に載置することができる。
【発明を実施するための最良の形態】
【００１５】
以下に、この発明の実施形態を図面に基づいて詳細に説明する。図１はパレット２０の一部を示す正面図である。パレット２０は、上部デッキボード２１と下部デッキボード２２とを四隅の桁２３とその中間に設けた桁２４及び中央部に設けた桁２５で連結してなり、上部デッキボード２１、下部デッキボード２２と四隅の桁２３及び中間部の桁２４で囲まれた空隙をフォーク差込口２６とした四方差しパレットである。上記パレットは予め分割成形した上部品Ｍと下部品Ｎとを桁の中間において突き合わせ溶着してなり、四隅の桁２３，中間部の桁２４及び中央部の桁２５は中空構造とされている。
【００１６】
図２〜図６は、隅部を含む上部品の４分の１の大きさを示し、上部デッキボード２１は、天板２８と前記天板２８の下側に縦横に設けた補強リブ群３０によって形成されている。前記補強リブ群３０は、補強リブ３１、３２，３３，３４及び３５とから構成されている。
【００１７】
図２に示すように、長手方向（間口方向）Ｘと短手方向（奥行方向）Ｙとすると、補強リブ３１は、四隅の桁２３と中間部の桁２４ａの間に設けられた補強リブであり、補強リブ３２は、四隅の桁２３と中間部の桁２４ｂの間に設けられた補強リブであり、補強リブ３３は、中間部の桁２４ａと中央部の桁２５の間に設けられた補強リブであり、補強リブ３４は、中間部の桁２４ｂと中央部の桁２５の間に設けられた補強リブであり、そして、補強リブ３５は、四隅の桁２３，中間部の桁２４ａ、２４ｂの内側角部と中央部の桁２５の角部で囲まれた内側部分に設けられた補強リブである。
【００１８】
さらに詳述すると、図２に示すように、前記補強リブ３１、３２，３３，３４及び３５は、いずれも縦横に格子状に形成されている。補強リブ３１は、長手方向（間口方向）Ｘの側面に対して平行な横リブ３１ａと短手方向（奥行方向）Ｙの側面に対して平行な縦リブ３１ｂとからなり、補強リブ３４は、長手方向（間口方向）Ｘの側面に対して平行な横リブ３４ａと短手方向（奥行方向）Ｙの側面に対して平行な縦リブ３４ｂとからなる。
【００１９】
前記横リブ３１ａと横リブ３４ａは、上部デッキボード２１の長手方向（間口方向）Ｘにおける変形を防止するために、間隔を狭く形成してなる。図示する実施形態では、横リブ３１ａは、四隅の桁２３と中間部の桁２４ａの短手方向（奥行方向）Ｙの幅寸法内に７本設けられており、横リブ３４ａは、四隅の桁２４ｂと中央部の桁２５の短手方向（奥行方向）Ｙの幅寸法内に１３本設けられている。直交する縦リブ３１ｂと縦リブ３４ｂは、それぞれ３本設けられている。
【００２０】
さらに、前記四隅の桁２３，中間部の桁２４ａ、２４ｂの内側角部と中央部の桁２５の角部で囲まれた内側部分の補強リブ３５は、長手方向（間口方向）Ｘの側面に対して平行な横リブ３５ａと短手方向（奥行方向）Ｙの側面に対して平行な縦リブ３５ｂとからなる。
【００２１】
前記横リブ３５ａのうち、四隅の桁２３、中間部の桁２４ａ寄りの３本と、中間部の桁２４ｂと中央部の桁２５寄りの３本は、他のリブの断面積Ｈ１よりも断面積Ｈ２が大きく形成されている（図５参照）。また、前記縦リブ３５ｂのうち、四隅の桁２３、中間部の桁２４ｂ寄りの１本と、中間部の桁２４ａと中央部の桁２５寄りの１本は、他のリブの断面積Ｈ１よりも断面積Ｈ２が大きく形成されている（図３参照）。
【００２２】
上記のように、桁近傍の横リブ３５ａと縦リブ３５ｂとを断面積を大きく形成することによって強度を増大させた。さらに、この実施形態では、デッキボードを増強させるために、前記横リブ３５ａと縦リブ３５ｂとの交差部から各桁の周壁に向かって斜めの補強リブ４０，４１及び４２を設けてなる。前記斜めの補強リブ４２は、補強リブ３２，３３の縦リブと交差している。
【００２３】
次に、各桁の内部構造について説明する。四隅の桁２３，中間部の桁２４ａ、２４ｂ及び中央部の桁２５の内部には、デッキボードの側面に対して平行で且つ直交する補強リブ４５，４６，４７，及び４８が設けられており、少なくとも長手方向（間口方向）Ｘに並列する補強リブ４５ａ，４６ａ，４７ａ及び４８ａは、側面に対して直角に複数設けられており、図示する実施形態では、それぞれ３本ずつ設けられている。
【００２４】
そして、長手方向（間口方向）Ｘにおいて開口するフォーク差込口２６側に最も近い補強リブ４５ａ，４６ａ，４７ａ及び４８ａと桁の周壁で囲まれた範囲を補強部Ｈとする。前記補強部Ｈは、長手方向（間口方向）Ｘに設けた補強リブ５０及び補強リブ５１と天板２８の肉厚を厚くした肉厚部５３によって形成されている。尚、前記補強リブ５０及び補強リブ５１は、前記補強リブ３１，３４の延長上には設けられていないが、前記補強リブ３１，３４の延長上に設け、桁の周壁を介して直線上に連結するように形成してもよい。
【００２５】
また、前記補強リブ５０，５１のうち桁の周壁に接続する部分は、溶着が可能なように周壁と同じ高さの溶着リブとなっている。また、桁内部における補強リブ４５，４６，４７，及び４８の交差する部分では、桁の周壁と同じ高さの溶着可能な溶着リブとなっている。
【００２６】
さらに、前記補強部Ｈは、天板の肉厚を厚くした肉厚部５３によって構成されている。この発明では、デッキボードの変形量を小さくするために、桁の内部に間隔の狭い補強リブ５０及び補強リブ５１を設けるとともに、前記補強部Ｈの範囲において天板の肉厚を厚く形成した肉厚部５３を設けることによって補強部Ｈを形成する構成とした。
【００２７】
即ち、長手方向（間口方向）Ｘにおいて開口するフォーク差込口２６側に最も近い補強リブ４５ａ，４６ａ，４７ａ及び４８ａと桁の周壁で囲まれた範囲の天板の肉厚を天板の他の部分の肉厚よりも厚い肉厚部５３とした。上記補強リブの構成と相まって、桁とデッキボードとの連結を堅牢にしてデッキボードの変形を小さくすることができる。
【００２８】
前記厚肉部５３の肉厚Ｔは、図４に示すように、天板の肉厚ｔの１．３〜２倍（４．５〜６．０ｍｍ）とすることが好ましい。このように、桁内部におけるデッキボードのフォーク差込口側の一定範囲を厚肉部５３とすることによって、デッキボードの変形が防止され桁との直角を保つことができる。デッキボードの変形が防止されれば、桁の変形も防止されるから、全体としても変形量を小さく抑えることができる。
【００２９】
前記厚肉部５３は、中空の桁の内側における天板に一定範囲において形成したが、桁との連結部分のうち、フォーク差込口に面する側の天板にも一定範囲において他の部分よりも厚くした肉厚部を形成してもよい。この場合にはデッキボードの変形をさらに小さくすることができる。
【００３０】
また、上記実施形態では、補強部Ｈを構成する肉厚部は、長手方向（間口方向）Ｘにおいて開口するフォーク差込口２６側に最も近い補強リブ４５ａ，４６ａ，４７ａ及び４８ａと桁の周壁で囲まれた範囲のデッキボードに形成したが、これに限定されるものではなく、直交する側、即ち、短手方向（奥行き方向）Ｙにおいて開口するフォーク差込口側に面する桁内の天板にも形成する構成としてもよい。
【図面の簡単な説明】
【００３１】
【図１】パレットの一部を示す正面図である。
【図２】図１のＡ−Ａ線断面であって、４分の１の大きさを示す上部デッキボード側の下面図である。
【図３】図２のＢ−Ｂ線断面図である。
【図４】図２のＣ−Ｃ線断面図である。
【図５】図２のＤ−Ｄ線断面図である。
【図６】図２のＥ−Ｅ線断面図である。
【図７】自動倉庫におけるパレットの載置状態を示す説明図である。
【符号の説明】
【００３２】
２０：パレット
２１：上部デッキボード  
２２：下部デッキボード
２３：四隅の桁  
２４：中間部の桁  
２５：中央部の桁  
２６：フォーク差込口
３０：開口部
３１，３２，３３，３４、３５：補強リブ
３６，３７，３８，３９：補強リブ
４０，４１，４２：斜めの補強リブ
５０，５１：補強リブ  
５３：肉厚部
【図１】
2006248541.tif 000003
【図２】
2006248541.tif 000004
【図３】
2006248541.tif 000005
【図４】
2006248541.tif 000006
【図５】
2006248541.tif 000007
【図６】
2006248541.tif 000008
【図７】
2006248541.tif 000009